(57)【要約】      （修正有）【課題】量子エネルギーによる治療などを行うにあたって、利便性を向上する。【解決手段】ＳＩＭカード３に、光子、電子、クウォーク、ニュートリノ等の量子を予め定める周期で照射して量子３２を転写しておき、そのＳＩＭカード３を、液晶画面２１を搭載する携帯情報端末２に装着する。すると、携帯情報端末２の通電により、量子３２のエネルギーが液晶画面２１に与えられて該ＳＩＭカード３と液晶の微粒子（原子核）とが共振し、液晶画面２１から量子エネルギー２２が外部へ放射される。これによって、放射された量子エネルギー２２を生物が浴びた時、組織を活性化し、たとえば動物の血行を促進したり、患部の治癒効果を高めたりすることができる。また、ＳＩＭカード３を量子化するだけであるので、携帯情報端末２自体を量子化するのに比べて極めて容易であり、任意の電子機器に装着できる。こうして、利便性を向上できる。【選択図】図１
2018008087.tif 000002
【特許請求の範囲】
【請求項１】
液晶画面を搭載し、前記液晶画面と協働する不揮発性の記憶素子を内蔵する電子機器において、
前記記憶素子は、２〜２０００Ｈｚの周期で、略１００Ｖの電圧の負の成分が印加された導電板上に２分以上搭載された後、該電子機器に装着されることを特徴とする電子機器。
【請求項２】
前記記憶素子は、フラッシュメモリであることを特徴とする請求項１記載の電子機器。
【請求項３】
前記記憶素子がカード状に形成され、これを装着した情報端末であることを特徴とする請求項１または２記載の電子機器。
【請求項４】
携帯可能で、電話機能を有することを特徴とする請求項３記載の電子機器。
【発明の詳細な説明】
【技術分野】
【０００１】
本発明は、メモリカードなどとして用いられる記憶素子を、スロットなどに装着して成る電子機器に関する。
【背景技術】
【０００２】
従来から、人体にマイクロ波や電磁波などを照射して、血行の改善を図ったり、患部の治癒効果を高めたりする治療器が市販されている。しかしながら、たとえばマイクロ波の場合に、マグネトロンが必要になるなど、これらの治療器は大掛かりで、また人体の内部への効果が低い（浸透し難い）ので、本件発明者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子波を発生させ、患部に照射することで、前記患部の細胞を活性化している。
【０００４】
特許文献２では、その量子波および遠赤外線を医療用シートに照射し、その医療用シートを人体に貼付けることで、同様の効果を得るようにしている。特許文献３では、量子波を食用油に照射することで、該食用油の酸化防止に用いている。
【先行技術文献】
【特許文献】
【０００５】
【特許文献１】特許第５６８４４３４号公報
【特許文献２】特許第５６５７８４１号公報
【特許文献３】特許第５７２７１０４号公報
【発明の概要】
【発明が解決しようとする課題】
【０００６】
上述の特許文献１，３は、マグネトロンなどに比べては、装置が小型で、取扱い易くなるが、それでも、装置に人体などを翳していなければならない。また、特許文献２は、人体に貼るだけで所期の効果が得られるが、入浴等で剥がすと、貼り替えなければならない。
【０００７】
本発明の目的は、量子エネルギーによる治療などを行う電子機器であって、利便性を向上することができる電子機器を提供することである。
【課題を解決するための手段】
【０００８】
本発明の電子機器は、液晶画面を搭載し、前記液晶画面と協働する不揮発性の記憶素子を内蔵する電子機器において、前記記憶素子は、２〜２０００Ｈｚの周期で、略１００Ｖの電圧の負の成分が印加された導電板上に２分以上搭載された後、該電子機器に装着されることを特徴とする。
【０００９】
上記の構成によれば、液晶画面を搭載する電子機器において、本件発明者は、前記液晶画面と協働し、メモリカードなどになっていて取扱いの容易な記憶素子の特徴に着目して、その記憶素子を量子化する。前記記憶素子としては、好ましくは、フラッシュメモリである。
【００１０】
具体的に、その量子化は、光子、電子、クウォーク、ニュートリノ等の量子を予め定める周期で照射することで行うことができる。その量子の照射は、前記予め定める周期である２〜２０００Ｈｚ、好ましくは２〜１００Ｈｚの周期で、略１００Ｖの電圧の負の成分が印加された導電板上に記憶素子を所定時間放置することで行うことができる。前記所定時間は、２〜３分以上、好ましくは、４〜５分以上である。前記導電板上には、光子、電子、クウォーク、ニュートリノ等の量子が発生し、特にクウォークが発生し易く（多く発生し）、ニュートリノは発生の可能性が考えられる。与える電圧を負の電圧とすることで、量子エネルギーを増加することができる。
【００１１】
こうして量子化された記憶素子からは、前記電子機器の通電により、前記量子のエネルギーが前記液晶画面に与えられて該記憶素子と液晶の微粒子（特に原子核）とが共振する。これによって、液晶画面から量子エネルギーが外部へ放射される。
【００１２】
したがって、その放射された量子エネルギーを生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。
【００１３】
しかも、前記予め定める周期に応じて、対象とする症状を、異ならせることができる。また、記憶素子を量子化するだけであるので、電子機器自体を量子化するのに比べて極めて容易であり、かつ記憶素子がカード化されている場合、スロットがあれば任意の電子機器に装着できるので、液晶画面を搭載する任意の電子機器に装着するだけで、同様の効果を得ることができる。こうして、量子エネルギーによる治療などを行うにあたって、利便性を向上することができる。
【００１４】
また、本発明の電子機器は、前記の記憶素子がカード状に形成され、これを装着した情報端末であることを特徴とする。
【００１５】
上記の構成によれば、前記電子機器としては、パーソナルコンピュータや携帯電話などの情報端末とし、前記記憶素子を、電話番号や情報を記憶するメモリカードとすることで、メモリカードを装着するだけで、前記の血行促進効果や患部の治癒効果などを得ることができる電子機器を実現することができる。
【００１６】
さらにまた、本発明の電子機器は、携帯可能で、電話機能を有することを特徴とする。
【００１７】
上記の構成によれば、携帯電話は、使用者が耳から口元にかけて密着させて使用するので、前記液晶画面も人体に接触する部分が多くなって、前記の血行促進効果や患部の治癒効果が高くなる。
【発明の効果】
【００１８】
本発明の電子機器は、以上のように、液晶画面を搭載する電子機器において、前記液晶画面と協働する記憶素子に、光子、電子、クウォーク、ニュートリノ等の量子を予め定める周期で照射して量子化しておくので、電子機器の通電により、前記量子のエネルギーが前記液晶画面に与えられて該記憶素子と液晶の微粒子とが共振し、液晶画面から量子エネルギーが外部へ放射される。
【００１９】
それゆえ、その放射された量子エネルギーを生物が浴びた時、組織を活性化し、たとえば動物の血行を促進したり、患部の治癒効果を高めたりすることができる。また、記憶素子を量子化するだけであるので、電子機器自体を量子化するのに比べて極めて容易であり、かつ記憶素子がカード化されている場合、スロットがあれば任意の電子機器に装着できる。こうして、量子エネルギーによる治療などを行うにあたって、利便性を向上することができる。
【図面の簡単な説明】
【００２０】
【図１】本発明の実施の一形態に係る電子機器の斜視図である。
【図２】ＳＩＭカードへの量子の照射方法を模式的に示す図である。
【図３】ＳＩＭカードへの量子の照射方法を模式的に示す波形図である。
【図４】本発明の実施の一形態である携帯情報端末の使用例を模式的に示す図である。
【発明を実施するための形態】
【００２１】
図１は、本発明の実施の一形態に係る電子機器１の斜視図である。本実施形態の電子機器１は、所謂スマートフォンから成る携帯情報端末２に、記憶素子を装着して構成される。図１の例では、記憶素子としては、フラッシュメモリから成るＳＩＭカード３で示しているが、他にも、ＳＤカード（登録商標）、マイクロＳＤカード（登録商標）、ＵＳＢメモリなどの着脱自在な記憶素子であればよい。携帯情報端末２には、その正面に、タッチパネルを備える液晶画面２１が搭載されている。本発明の電子機器１には、液晶画面２１を備えていればよく、所謂タブレット端末、デジタルカメラ、パーソナルコンピュータなどであってもよい。
【００２２】
ＳＩＭカード３は、書き込み可能で、その書き込まれた情報が、電力付勢無しで保持される不揮発性のＥＥＰＲＯＭなどから構成される。このＳＩＭカード３には、携帯情報端末２の電話番号、電話帳、契約情報などが記憶されており、このＳＩＭカード３を携帯情報端末２に装着することで、複数の電極３１を通して携帯情報端末２に前記の情報が読出され、該携帯情報端末２の使用が可能になる。
【００２３】
注目すべきは、本実施形態では、このように携帯情報端末２に使用されるＳＩＭカード３において、該ＳＩＭカード３は、量子を予め定める周期で照射されることで量子３２が転写されており、携帯情報端末２の通電により、該ＳＩＭカード３における量子３２のエネルギーが液晶の微粒子、主に原子核に共振し、液晶画面２１から量子エネルギー２２を発生させ、外方へ照射させることである。
【００２４】
図２は、ＳＩＭカード３への量子３２の照射方法を模式的に示す図である。図２（ａ）で示すように、量子３２の照射は、ＳＩＭカード３を導電板５上に載置し、その導電板５に予め定める周期の負の電圧を印加し、負の電位や電場を所定時間印加することで行うことができる。導電板５は、図２（ｂ）で示す印加回路７や、図２（ｃ）で示す印加回路８からの負の電圧が印加されることで、ＳＩＭカード３に前記電位や電場を与える。導電板５は、図２（ａ）で示すように、たとえばＭΩ以上の高抵抗６を介して接地されていてもよい。
【００２５】
印加回路７は、交流電源７１の一方の端子に接続されるダイオード７２および抵抗７３の直列回路と、他方の端子に接続されるダイオード７４および抵抗７５の直列回路とを備えて構成される。ダイオード７２，７４のカソードが交流電源７１に接続され、アノードが抵抗７３，７５の一端に接続される。これによって、抵抗７３，７５の他端から取出された図３（ｂ）で示すような前記負で半波の電圧が、導電板５に印加される。交流電源７１は、単相２線の場合、１線は柱上変圧器内などで接地されており、この印加回路７は、２線の何れがホット側か不明な場合に、確実に負の電圧を取出すことができるようになっている。
【００２６】
また、印加回路８は、ダイオード８２〜８５から成るダイオードブリッジで構成される。交流電源８１の一方の端子にはダイオード８２のカソードおよびダイオード８４のアノードが接続され、他方の端子にはダイオード８３のカソードおよびダイオード８５のアノードが接続され、ダイオード８４，８５のカソードが接地される。これによって、ダイオード８２，８３のアノードから取出された図３（ａ）で示すような前記負で全波の電圧が、導電板５に印加される。
【００２７】
交流電源７１，８１は、２〜２０００Ｈｚ、好ましくは２〜１００Ｈｚの電圧を印加する。交流電源７１，８１が商用電源である場合、５０または６０Ｈｚで、たとえば１００Ｖ（実効値）の電圧が、導電板５に印加されることになる。なお、本実施形態で交流電源７１，８１を使用しているのは、回路が簡単であるためで、周期的な負の電圧としては、三角波、矩形波或いはパルス波などであってもよい。
【００２８】
このように導電板５に周期的な負の電圧を印加することで、ＳＩＭカード３には、光子、電子、クウォーク、ニュートリノ等、１７種の量子の内の何れかが照射される（中でも、クウォークが発生し易く（多く発生し）、ニュートリノは発生の可能性が考えられる）ことになり、所定時間、具体的には２〜３分以上、好ましくは、４〜５分以上照射されることで、該ＳＩＭカード３には量子３２が転写される。そして、その量子３２が転写されたＳＩＭカード３を携帯情報端末２のスロットに装着し、該携帯情報端末２の電源を入れてＳＩＭカード３に通電すると、該ＳＩＭカード３の量子３２のエネルギーが液晶画面２１に与えられて、該ＳＩＭカード３と液晶の微粒子、主に原子核とが共振し、液晶画面２１から量子エネルギー２２が外部へ放射されることになる。
【００２９】
したがって、その放射された量子エネルギー２２を生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。しかも、前記予め定める周期に応じて、対象とする症状を、異ならせることができる。
【００３０】
また、ＳＩＭカード３を量子化するだけであるので、携帯情報端末２などの電子機器自体を量子化するのに比べて、極めて容易である。しかも、記憶素子がこのＳＩＭカード３のようにカード化されている場合、スロットがあれば任意の電子機器に装着できるので、液晶画面２１を搭載する任意の電子機器に装着するだけで、同様の効果を得ることができる。こうして、量子エネルギーによる治療などを行うにあたって、利便性を向上することができる。
【００３１】
また、前記予め定める周期を、２〜２０００Ｈｚ、好ましくは２〜１００Ｈｚとすることで、本件発明者の実験結果によれば、人の血行改善効果を得ることができ、肩凝りやむくみが解消したり、傷口が早く治ったりするようになる。本件発明者の実験結果によれば、特に、２〜１００Ｈｚの場合、液晶画面２１としては、スマートフォンの数インチサイズから、テレビジョンの３０インチサイズまで、効果が確認されている。
【００３２】
さらに、電子機器としては、パーソナルコンピュータなどでも可能であるが、携帯電話などの携帯情報端末２とし、記憶素子を、電話番号や情報を記憶するＳＩＭカード３とすることで、該ＳＩＭカード３を装着するだけで、前記の血行促進効果や患部の治癒効果などを得ることができる電子機器を実現することができる。
【００３３】
さらにまた、電子機器としては、携帯可能で、ＳＩＭカード３を装着したタブレット端末や、メモリカードを装着したノートパソコンなどでもよいが、電話機能を有する携帯情報端末２とすることで、図４で示すように、その使用者９は、耳から口元にかけての頭部９１に密着させて使用するので、液晶画面２１も人体に接触する部分が多くなって、前記の血行促進効果や患部の治癒効果が高くなる。
【００３４】
なお、光子、電子、クウォーク、ニュートリノ等の量子をＳＩＭカード３に照射するにあたって、導電板５には正または負の何れの電圧を与えてもよいが、本件発明者の実験によれば、正の電圧を与える場合、すなわち図２におけるダイオード７２，７４；８２〜８５の極性を反対にした場合、ＳＩＭカード３に与えられる量子３２が、負の電圧を与えた場合よりも減少している。そのため、図２および図３で示すように、負の電圧を与えることが、極めて効率的である。
【符号の説明】
【００３５】
１    電子機器
２    携帯情報端末
２１    液晶画面
２２    量子エネルギー
３    ＳＩＭカード
３１    電極
３２    量子
５    導電板
６    高抵抗
７    印加回路
７１    交流電源
７２，７４    ダイオード
７３，７５    抵抗
８１    交流電源
８２〜８５    ダイオード
９    使用者
９１    頭部  
【図１】
2018008087.tif 000003
【図２】
2018008087.tif 000004
【図３】
2018008087.tif 000005
【図４】
2018008087.tif 000006